(57)【要約】      （修正有）【課題】長時間続く火災に対して、シェルターの内部温度を一定温度以下に保てる水槽システムを提供する。また、水槽システムを簡単に築造できる水槽部材を提供する。【解決手段】水槽システム１は、出入口５の外周に設けられた水槽２と、水槽２に水を供給する給水装置３と、泡消火設備６を備えている。水槽２は４つの水槽部材２６によって構築され、出入口５の外周を環状に取り囲む環状凹部２１が設けられている。環状凹部２１を上下に分割する仕切り網２２が設けられて、スラグ砕石２３が仕切り網２２の上方に充填されている。泡消火設備６は、水槽２の外周の地面１５０の近傍に設けられた第１泡ヘッド６１と、ロールバー５５の下端部に設けられた第２泡ヘッド６２を有している。第１、２泡ヘッド６１、６２から泡消火水を放出することで、泡による窒息効果と、泡を構成している水による冷却効果によって火炎を早期に沈静化できる。【選択図】図１
2020007711.tif 000002
【特許請求の範囲】
【請求項１】
地下シェルターの上方に配設されて、開口する凹部が設けられた水槽と、
前記水槽に水を供給する給水装置と、を備えることを特徴とするシェルター用水槽システム。
【請求項２】
出入口が前記地下シェルターの天井板の上方に設けられ、
前記水槽は、前記出入口の外周に配設されることを特徴とする請求項１に記載のシェルター用水槽システム。
【請求項３】
前記水槽は、前記凹部に充填された砂利を有することを特徴とする請求項２に記載のシェルター用水槽システム。
【請求項４】
前記水槽は、前記凹部を上下に分割する仕切り網を有し、
前記砂利は前記仕切り網の上方に充填されていることを特徴とする請求項３に記載のシェルター用水槽システム。
【請求項５】
前記水槽は、前記凹部の中間部に前記仕切り網を載置するための突起体が設けられていることを特徴とする請求項４に記載のシェルター用水槽システム。
【請求項６】
前記砂利は、スラグ砕石であることを特徴とする請求項３〜５のいずれか１項に記載のシェルター用水槽システム。
【請求項７】
泡消火水を噴出する泡ヘッドを有する泡消火設備を備え、
前記泡ヘッドは、前記出入口の外側に配設されていることを特徴とする請求項２〜６のいずれか１項に記載のシェルター用水槽システム。
【請求項８】
前記泡ヘッドは、前記水槽の外周に配設された第１泡ヘッドを含むことを特徴とする請求項７に記載のシェルター用水槽システム。
【請求項９】
前記出入口は、開口部が設けられた枠体と、
上方に向かって回動可能となるように、前記枠体に固定された平面視で矩形の扉と、
前記扉の角部の回動軌跡から一定の距離を確保した曲線に沿って設けられた一対のロールバーと、を有し、
前記泡ヘッドは、前記ロールバーに沿って配設された第２泡ヘッドを含むことを特徴とする請求項７または８に記載のシェルター用水槽システム。
【請求項１０】
シェルターの出入口の外周に、上方に開口する凹部が設けられた水槽を備えるシェルター用水槽システムの水槽に用いられ、
断面視で上方に開口する凹部が設けられ、
組み立てることで前記水槽が構築されることを特徴とする水槽部材。
【請求項１１】
前記水槽部材は下方に突出する凸部が設けられ、
前記凸部の内側面は、前記水槽部材を設置したとき、前記シェルターの外側面に沿うことを特徴とする請求項１０に記載の水槽部材。
【請求項１２】
前記水槽部材は、仕切り網を載置するための突起体が前記凹部の中間部に設けられていることを特徴とする請求項１０または１１に記載の水槽部材。
【発明の詳細な説明】
【技術分野】
【０００１】
本発明は、地下シェルターの内部温度の上昇を抑制する水槽システム、および水槽システムを構築するための水槽部材に関する。
【背景技術】
【０００２】
関東大震災や阪神・淡路大震災では、地震に起因する火災、いわゆる地震火災が同時多発的に発生し甚大な被害をもたらした。地震火災は、本震直後から出火し、その件数は建物倒壊数に比例して増大するとされる。また、消防力の分散、建築倒壊や道路損壊による交通障害の発生、消火栓や水道管の破損による水利不足、交通渋滞などの要因が複合して消火活動が阻害されることから、延焼範囲は拡大し、鎮火するまでの時間は長引くことになる。東日本大震災では、過去最大級の津波・津波火災が発生したことによって、多くの尊い人命が失われた。
【０００３】
今後発生が予想される大都市直下地震では、すでに都市の近代化が進み十分な対策が取られていることから、関東大震災や阪神・淡路大震災のように甚大な被害をもたらさないとも考えられる。しかし、大都市においても、現時点で木造住宅密集地は多数存在し、しかも関東大震災当時と比べ過密な状態となっている。
【０００４】
木造住宅密集地域で発生する地震火災は延焼速度が早く、かつ同時多発的に巨大な火炎が迫ってくる危険があるため、逃げ遅れないために早期に避難することが重要である。しかし、安全な場所に避難しようとしても、道路は避難する人々で前に進めない事態が想定される。仮に、前に進めたとしても倒壊した家屋によって道路が塞がれ、さらに橋梁の倒壊等により避難路が確保できない事態も予想される。
【０００５】
このような状況に鑑みると、火災が長時間続いた場合でも、シェルター内の温度上昇が抑制される手立てが必要となる。
【０００６】
特許文献１では、災害等において一時的に避難するために、建造物の防災目的で設置される断熱層を有する構造体を、長時間の火災に耐えられるように、安価なコストでその内部温度の上昇を抑制するための耐火構造が開示されている。具体的には、建造物に設置さ れ、天井壁と側壁と床壁よりなる防災シェルターであって、内部温度の上昇を抑制するために、天井壁の上に水槽を設け、火災発生等の周囲温度が 上昇したときに水槽内の水を利用してシェルターに流して内部の温度上昇を未然に防止するものである。
【０００７】
しかし、特許文献１で開示されるシェルターは、建造物内に設置されているので、火災で建造物が倒壊した場合、倒壊した建造物が火炎源となりシェルターは、長時間に渡り火炎熱にさらされる。また、水をシェルターに流した直後は、シェルターの内部の温度を抑制できるが、その後、継続して長時間にわたって抑制することはできない。
【先行技術文献】
【特許文献】
【０００８】
【特許文献１】特開２０１１−８４８８３号公報
【発明の概要】
【発明が解決しようとする課題】
【０００９】
本発明の課題は、長時間続く火災に対して、シェルターの内部温度の上昇を抑制できる水槽システムを提供することである。また、水槽システムを簡単に築造できる水槽部材を提供することである。
【課題を解決するための手段】
【００１０】
本発明は、上記課題を解決するための水槽システムであって、地下シェルターの上方に配設されて、上方に開口する凹部が設けられた水槽と、水槽に水を供給する給水装置を備えることを特徴とする。
【００１１】
シェルターの内部に設けられる避難空間を、火炎熱の影響を受けにくい地下に配設したとしても、地面は火炎熱により熱せられ、それに伴い、地下シェルターの温度も上昇する。その結果、避難空間の温度も上昇し、高温となった避難空間での避難を余儀なくされる。しかし、この構成によれば、地下シェルターの天井板の上方に配設されて、上方に開口する凹部が設けられた水槽と、水槽に水を供給する給水装置を備えるので、火炎熱によって周辺の温度が上昇した場合でも、水槽内に貯留されている水が加熱されて蒸発し、そのときの潜熱効果によって避難空間の温度上昇を抑制できる。
【００１２】
好ましくは、出入口は地下シェルターの天井板の上方に設けられ、水槽は、出入口の外周に配設される。
【００１３】
地下シェルターの出入口は地上に設けざるを得ない。そのため、火炎熱の影響を最も受けやすいと考えられる。しかしこの構成によれば、出入口の外周に水槽が設けられるので、出入口の温度上昇を抑制することができる。
【００１４】
好ましくは、水槽は、凹部に充填された砂利を有する。
【００１５】
この構成によれば、水槽に設けられた凹部に砂利が充填されているので、水のみが凹部に貯留されている状態と比較して、水が蒸発しやすくなるため、大きな潜熱効果が期待できる。
【００１６】
好ましくは、水槽は、凹部を上下に分割する仕切り網を有し、砂利は仕切り網の上方に充填されている。
【００１７】
この構成によれば、砂利は仕切り網の上方のみに充填されているので、凹部全体に砂利が充填されている状態に比べ、大容量の水を凹部に貯留することができる。
【００１８】
好ましくは、水槽は、凹部の中間部に仕切り網を載置するための突起体が設けられている。
【００１９】
この構成によれば、水槽は、凹部の中間部に仕切り網を載置するための突起体が設けられているので、仕切り網を正確にかつ容易に凹部に載置することができる。
【００２０】
好ましくは、砂利は、スラグ砕石である。
【００２１】
この構成によれば、凹部に多孔質なスラグ採石が充填されているので、大きな潜熱効果が期待できる。
【００２２】
好ましくは、泡消火水を噴出する泡ヘッドを有する泡消火設備を備え、泡ヘッドは、出入口の外側に配設されている。
【００２３】
この構成によれば、泡ヘッドから泡消火水を噴出することで出入口近傍の火災を早期に沈静化できる。その結果、高温の火炎熱にさらされる時間が減少し、避難空間の温度上昇を抑制できる。
【００２４】
好ましくは、泡ヘッドは、水槽の外周に配設された第１泡ヘッドを含む。
【００２５】
この構成によれば、水槽の外周に第１泡ヘッドが配設されているので、広い範囲にわたって火災を早期に沈静化することができる。
【００２６】
好ましくは、出入口は、開口部が設けられた枠体と、上方に向かって回動可能となるように枠体に固定された平面視で矩形の扉と、扉の角部の回動軌跡から一定の距離を確保した曲線に沿って設けられた一対のロールバーを有し、泡ヘッドは、ロールバーに沿って配設された第２泡ヘッドを含む。
【００２７】
住宅地では、家屋の倒壊によって発生した瓦礫が、出入口近傍に積層する事態が想定される。この瓦礫が火炎源となると、出入口は長時間にわたり高温の火炎熱にさらされることとなる。しかし、この構成によれば所定の強度を具備するロールバーが出入口の上方に設けられているので瓦礫の積層を防止することができる。また、泡消火水を出入口の上方から噴出できるので、火災を早期にかつ効率的に鎮静化できる。
【００２８】
本発明の他の態様は、シェルターの出入口の外周に、上方に開口する凹部が設けられた水槽を備えるシェルター用水槽システムの水槽に用いられ、断面視で上方に開口する凹部が設けられ、組み立てることで水槽が構築されることを特徴とする。
【００２９】
この構成によれば、複数の水槽部材を出入口の外周に設置することで、水槽が設けられるので、水槽を短工期に、簡単に設置できる。
【００３０】
好ましくは、水槽部材は下方に突出する凸部が設けられ、凸部の内側面は、水槽部材を設置したとき、シェルターの外側面に沿う。
【００３１】
この構成によれば、凸部の内側面を、シェルターの外側面に沿うように設置することで、水槽部材を正確に、かつ迅速に所定の位置に配することができる。
【００３２】
好ましくは、水槽部材は、仕切り網を載置するための突起体が、凹部の中間部に設けられている。
【００３３】
この構成によれば、水槽部材は凹部の中間部に突起体が設けられているので仕切り網を正確に、かつ容易に凹部に配設できる。
【発明の効果】
【００３４】
本発明によれば、長時間の火災に対して、シェルター内部の温度上昇を抑制できる水槽システムを、低コスト、短工期で提供できる。
【図面の簡単な説明】
【００３５】
【図１】シェルター用水槽システムの正面図（地中部分は正面断面図）である。
【図２】同、平面図である。
【図３】水槽の断面図である。
【図４】仕切り網の斜視図である。
【図５】スラグ砕石が収納かごに収容された状態を現わす斜視図である。
【図６】（ａ）は本実施形態の出入口に水槽部材が設けられた状態を説明する平面図である。（ｂ）、（ｃ）は、同変形例である。
【図７】水平方向に開閉する扉を有する出入口に、水槽が配設された状態を説明する概略斜視図である。
【発明を実施するための形態】
【００３６】
本発明の実施形態について、図面を参照して説明する。
【００３７】
水槽システム１は、火災の際、地下シェルター１００に設けられた避難空間１２０内の温度上昇を抑制するためのものであり、出入口５の外周に設けられた水槽２と、水槽２に水を供給する給水装置３と、泡消火設備６を備えている。
【００３８】
図１に示す通り、地中１４０に埋設された地下シェルター１００は、天井板１１０と側壁１１１と底板１１４を有して、これらが協働して避難空間１２０を設けている。天井板１１０、側壁１１１の避難空間１２０側には断熱材１１２が張り付けられていて、天井板１１０の上面に、出入口５が設けられている。ここで、地下シェルター１００とは、避難空間１２０が、地中１４０に設けられているシェルターをいう。
【００３９】
図１、２に示す通り、水槽２は、出入口５の外周を環状に取り囲む環状凹部２１が設けられている。環状凹部２１は、４つの水槽部材２６が協働することにより設けられるものである。水槽部材２６は平面視でドーナツ状の一部をなす部材で、上方に開口する凹部２１ａが設けられている。このように、4つの水槽部材２６を出入口５の外周に設置することで環状凹部２１を簡単に設けられるので、現場施工で水槽２を構築する場合に比べ、コストダウン、短工期化を図れる。
【００４０】
図３に示す通り、水槽部材２６は、横部材２６ａと、横部材２６ａの両端から、同方向に垂直に延びる一対の縦部材２６ｂ、２６ｂを有している。横部材２６ａと一対の縦部材２６ｂ、２６ｂが協働して凹部２１ａを設けている。
【００４１】
横部材２６ａの一方の端部に凸部２７が設けられている。凸部２７は水槽部材２６を正確に、かつ迅速に所定の位置に設置するためのものである。水槽部材２６は、凸部２７の内側面２７ａ（凸部２７の２つの側面のうち、他方の端部側の側面）を、地下シェルター１００の外壁面１１１ａに沿うように設置したとき、出入口５と水槽部材２６が隙間（図示略）を介して対向するようにその形状は設定される。この隙間に、モルタルを充填することで、水槽部材２６を地下シェルター１００の上方の所定の位置に正確に、かつ迅速に設置できる（図１参照）。
【００４２】
一対の縦部材２６ｂ、２６ｂのそれぞれの中間部に突起体２４が対向して設けられている。突起体２４の上面に、仕切り網２２が載置されている。図４に示す通り、仕切り網２２は、金網２２ｂと金網２２ｂの外周を固定するフレーム２２ａで構成されている。複数の仕切り網２２が突起体２４の上面に環状に載置されており、平面視で凹部２１ａの全面は、仕切り網２２で覆われている状態となっている。凹部２１ａの仕切り網２２よりも上部の空間には、スラグ砕石２３が地面１５０とほぼ面一となるように充填されている。これにより、凹部２１ａに起因する段差が解消され、地下シェルター１００に避難するとき、往来の障害となることはない。金網２２ｂのメッシュ幅は、スラグ砕石２３の粒径より小さいことが好ましい。これにより、スラグ砕石２３が金網２２ｂを通過して下方へ落下することを防止できる。
【００４３】
火災時において、給水装置３から環状凹部２１に水が給水されて、環状凹部２１は満水状態となる。火炎熱によってスラグ砕石２３の温度は上昇する。スラグ砕石２３の気孔、空隙を覆っている薄い水の膜は、火炎熱によって早期に気化する。このとき、スラグ砕石２３は下方に充填されている水を吸水して、気孔、空隙は薄い水の膜で覆われる状態を保つ。すなわち、潜熱効果は早期に発現し、かつ長い時間継続される。
【００４４】
スラグ砕石２３の材質としては、コンクリート用の粗骨材や路盤の材料として用いられている高炉徐冷スラグであることが好ましい。高炉徐冷スラグは、外観は粗面、気孔があり、角張っている。また、空隙を多く含み、吸水率は天然砕石よりも高い。従って、火炎熱で周辺の温度が上昇した際に、環状凹部２１に充填されている水の気化がより早期に発現されるとともに、促進されて、より大きな潜熱効果が期待できる。
【００４５】
なお、本実施形態ではスラグ砕石２３を直接環状凹部２１に充填しているが、図５に示す通り、メッシュ状の収納かご２５に充填して、この収納かご２５を環状凹部２１に敷き並べても良い。これにより、スラグ砕石２３の環状凹部２１への充填が容易となり、工期の短縮を図ることができる。収納かご２５のメッシュ幅は、スラグ砕石２３の粒径より小さいことが好ましい。これにより、スラグ砕石２３が収納かご２５のメッシュを通過することを防止できる。なお、本実施形態で用いたスラグ砕石２３に替えて、建設工事で一般的に使用され、安価で入手が容易な天然砕石を用いてもよい。スラグ砕石２３を用いる場合と比べて、潜熱効果は多少劣るが、コストダウンを図ることができる。また、環状凹部２１に、水のみを充填してもよい。大容量の水を貯留できることから、長時間にわたる潜熱効果が期待できる。この場合、環状凹部２１の一部分に出入口５を往来するための渡り板を設けることが好ましい。
【００４６】
図１、２に示す通り、給水装置３は、タンク３１と、給水管３２を有している。タンク３１は、水槽２に供給する水を貯留するためのものであり、地面１５０の上面に設けられている。タンク３１の貯水容量は、環状凹部２１が満水状態となる水量より大きく設定するのが好ましい。これにより、充分な水が水槽２に供給できる。タンク３１に貯留する水として、雨水を用いても良い。これにより、資源の有効活用を図ることができる。
【００４７】
給水管３２はタンク３１に貯留されている水を水槽２に送水するためのものであり、一方の端部はタンク３１に接続されて、他方の端部は水槽２の環状凹部２１の上方に配されている。また、給水管３２を開閉するためのバルブ３２ａが給水管３２の中間部に設けられている。
【００４８】
水は火災時のとき環状凹部２１に充填される状態とするが、あらかじめ充填しておき、蒸発して水量が所定の量より少なくなったときバルブ３２ａを開いて水を補充してもよい。環状凹部２１に常時水を充填しておくことで、突発的な火災に対して対応が可能になる。さらに水が蒸発する際に、気化熱を奪い、常時においても、避難空間１２０内の温度を低く保つことができる。
【００４９】
本実施形態では、タンク３１、給水管３２は地面１５０の上方に配設されているが、地中１４０に設け、ポンプを利用してタンク３１に貯留されている水を水槽２に供給しても良い。これにより、火災の影響を受けることなく、安定して水を水槽２に供給することができる。
【００５０】
図１、２に示す通り、出入口５は、平面視で矩形の扉５１と、枠体５２と、ロールバー５５と、支持材５６を有し、一部が地面１５０に突出して、天井板１１０の上面に配設されている。枠体５２は、天井板１１０の上面に配設されて、天井板１１０の開口部１１３に対応する位置に、開口部５３が設けられている。扉５１は、開口部５３に配設された状態で、上方に回動可能となるように枠体５２に固定されている。また、扉５１と枠体５２の上面は、ほぼ面一の状態で地面１５０に露出している。扉５１の開閉は手動でもよいし、電動のジャッキ等を使用してもよい。
【００５１】
一対のロールバー５５、５５が、開口部５３の外側に設けられている。それぞれのロールバー５５は棒状の曲線部材であり、一方の端部は枠体５２に固定されて、他方の端部は支持材５６に支持されている。支持材５６は、水平に延びる直線部材と、垂直に延びる直線部材で構成された門型のラーメン構造であり、両端が枠体５２に固定されている。また、ロールバー５５の他方の端部は、門型の支持材５６の水平に延びる直線部材と、垂直に延びる直線部材が交差する地点で支持されている。すなわち、ロールバー５５は、支持材５６を介して枠体５２に強固に固定されている。本実施形態では、支持材５６は門型のラーメン構造としているが、一方の端部が枠体５２に固定され、他方の端部がロールバー５５に固定された一対の単柱であってもよい。
【００５２】
ロールバー５５は、角部５１ａの回動軌跡Ｌａから上方、および側方に一定の距離を置いて設けられている。これにより、扉５１を回動する際、ロールバー５５が開閉の妨げとなることはない。また、ロールバー５５の上端部にはＬＥＤ照明５５ａが配設されて、夜間に周辺を照らしている。これにより、夜間に地下シェルター１００に避難しなければならない場合でも、出入口５の位置が明確に視認できるので、安全に、かつ迅速に地下シェルター１００に避難することができる。
【００５３】
泡消火設備６は、放出する泡による窒息効果と、泡を構成している水による冷却効果によって地下シェルター１００の周辺の火炎を早期に沈静化するためのものである。消火水供給装置６０は、水と泡消火薬剤を混合して泡消火水を製造して、第１供給管６０ａ、および第２供給管６０ｂに圧送するためのものであり、地中１４０に設けられている。地中１４０に設けることで土地の有効活用ができるとともに、火災の影響を受けることなく安定して泡消火水を製造して、第１供給管６０ａ、および第２供給管６０ｂに圧送できる。
【００５４】
消火水供給装置６０で製造された泡消火水は、第１供給管６０ａを経由して第１泡ヘッド６１に供給される。同時に、第２供給管６０ｂを経由して第２泡ヘッド６２に供給される。第１泡ヘッド６１は、水槽２の外周の地面１５０の近傍に泡消火水が出入口５の上方に噴射できる角度で取り付けられており、第２泡ヘッド６２はロールバー５５の下端部に泡消火水が下方に向けて噴射できるように取り付けられている。すなわち泡消火水は、水槽２、および出入口５のほぼ全面に放射される。
【００５５】
第１泡ヘッド６１、および第２泡ヘッド６２から放射される泡消火水は、大気中に放出される際、周辺の空気を吸い込んで泡を形成し、水槽２、および出入口５の近傍で燃焼している火炎源を覆う。泡に覆われたことによる窒息効果と、泡を構成している水による冷却効果によって火災は早期に沈静化される。
【００５６】
泡消火設備６は、手動により作動させてもよいし、センサーで火災を検知することで作動させてもよい。本実施形態では消火水供給装置６０は地中１４０に設けられているが、地上に設けてもよい。これにより、コストダウンを図ることができる。
【００５７】
水槽システム１による避難空間１２０内の温度上昇を抑制するメカニズムについて説明する。
【００５８】
常時において、環状凹部２１は満水状態となっていることが好ましい。また、仕切り網２２の上側の空間には、気孔があり、空隙を多く含み、吸水率が高いスラグ砕石２３が充填されている。スラグ砕石２３が環状凹部２１に充填された水と接触することでスラグ砕石２３の気孔、空隙は薄い水の膜で覆われる状態となる。外気温が上昇するとき、スラグ砕石２３の温度も上昇するが、スラグ砕石２３の気孔、空隙を覆う薄い水の膜は早期に気化する。このときの潜熱効果によって周辺の物質は熱を奪われる。その結果、避難空間１２０の温度上昇は抑制される。すなわち、水槽２が設置されることによって、避難空間１２０の温度は常時においても、低温に保たれる。
【００５９】
火災時においては、火炎熱によってスラグ砕石２３の温度は上昇する。上述の通り、スラグ砕石２３の気孔、空隙を覆っている薄い水の膜は、低い熱量で気化する。このとき、スラグ砕石２３は下方に充填されている水を吸水して、気孔、空隙は薄い水の膜で覆われる状態を保つ。すなわち、水槽システム１では、潜熱効果が、火災の初期から発現され、かつ長い時間継続される。
【００６０】
また、第１泡ヘッド６１、および第２泡ヘッド６２から放射される泡消火水によって、火炎源は泡で覆われ酸素の供給が断たれる。さらに、泡を構成している水による冷却効果によって火災は早期に沈静化される。火災が早期に鎮静化されることにより、避難空間１２０の内部の温度上昇は抑制される。
【００６１】
火災がさらに、長時間続いたときは、環状凹部２１の水はなくなり、スラグ砕石２３は水の供給が断たれることになる。この場合、環状凹部２１に充填されたスラグ砕石２３の下方に形成される空気層による断熱効果が期待できる。
【００６２】
以上の実施形態は、本発明の実施のための好ましい実施形態の例示である。本発明は、以上の実施形態に限定されるものではなく、発明の趣旨を逸脱しない範囲において改変をなしても、本発明の技術的範囲に属することは勿論である。
【００６３】
例えば、本実施形態では図６（ａ）に示す通り、４部材の水槽部材２６を出入口５の外周に設置して、環状凹部２１を設けているが、図６（ｂ）に示す通り、２部材の平面視コ字形の水槽部材２２６を組み合わせて環状凹部２１を設けてもよい。また、図６（ｃ）に示す通り、１部材の水槽部材２２６と、２部材の水槽部材２６を出入口５の外周に設置して環状凹部２１を設けてもよい。その他、発明の趣旨を逸脱しない範囲において様々な水槽部材を用いて環状凹部２１を設けることができる。
【００６４】
さらに、図７に示す通り、環状凹部３２１を、水平方向に回動する扉３５１を有する平面視四角形の出入口３０５の外周を取り囲んで設けてもよい。この場合において、環状凹部３２１は平面視Ｌ字形の４部材の水槽部材３２６を組み合わせて出入口３０５の外周に設置して環状凹部３２１を設けている。また、２部材の平面視コ字形の水槽部材（図示略）を組み合わせて環状凹部３２１を設けてもよい。さらに２部材の平面視Ｌ字形の水槽部材３２６と１部材の平面視コ字形の水槽部材を組み合わせて環状凹部３２１を設けてもよい。その他、発明の趣旨を逸脱しない範囲において様々な水槽部材を用いて環状凹部３２１を設けることができる。
【産業上の利用可能性】
【００６５】
本発明は、延焼速度が早く、長時間に渡り火炎が継続する危険がある住宅密集地に築造する地下シェルターに用いて、避難空間内の温度上昇を抑制することができ、産業上の利用可能性は大である。
【符号の説明】
【００６６】
１                        ：水槽システム
２                        ：水槽
３                        ：給水装置
５、３０５                ：出入口
６                        ：泡消火設備
２１、３２１              ：環状凹部
２１ａ                    ：凹部
２２                      ：仕切り網
２３                      ：スラグ砕石
２４                      ：突起体
２６、２２６、３２６      ：水槽部材
２７                      ：凸部
３１                      ：タンク
３２                      ：給水管
５１、３５１              ：扉
５２                      ：枠体
５３                      ：開口部
６０                      ：消火水供給装置
６１                      ：第１泡ヘッド
６２                      ：第２泡ヘッド
１００                    ：地下シェルター
１１０                    ：天井板
１１１                    ：側壁
１１１ａ                  ：外壁面
１２０                    ：避難空間
【図１】
2020007711.tif 000003
【図２】
2020007711.tif 000004
【図３】
2020007711.tif 000005
【図４】
2020007711.tif 000006
【図５】
2020007711.tif 000007
【図６】
2020007711.tif 000008
【図７】
2020007711.tif 000009
【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
地下シェルターの上面に配設されて、上方に開口する凹部が設けられた水槽と、
前記水槽に水を供給する給水装置と、を備えることを特徴とするシェルター用水槽システム。
【請求項２】
出入口が前記地下シェルターの天井板の上方に設けられ、
前記水槽は、前記出入口の外周に配設されることを特徴とする請求項１に記載のシェルター用水槽システム。
【請求項３】
前記水槽は、前記凹部に充填された砂利を有することを特徴とする請求項２に記載のシェルター用水槽システム。
【請求項４】
前記水槽は、前記凹部を上下に分割する仕切り網を有し、
前記砂利は前記仕切り網の上方に充填されていることを特徴とする請求項３に記載のシェルター用水槽システム。
【請求項５】
前記水槽は、前記凹部の中間部に前記仕切り網を載置するための突起体が設けられていることを特徴とする請求項４に記載のシェルター用水槽システム。
【請求項６】
前記砂利は、スラグ砕石であることを特徴とする請求項３〜５のいずれか１項に記載のシェルター用水槽システム。
【請求項７】
泡消火水を噴出する泡ヘッドを有する泡消火設備を備え、
前記泡ヘッドは、前記出入口の外側に配設されていることを特徴とする請求項２〜６のいずれか１項に記載のシェルター用水槽システム。
【請求項８】
前記泡ヘッドは、前記水槽の外周に配設された第１泡ヘッドを含むことを特徴とする請求項７に記載のシェルター用水槽システム。
【請求項９】
前記出入口は、開口部が設けられた枠体と、
上方に向かって回動可能となるように、前記枠体に固定された平面視で矩形の扉と、
前記扉の角部の回動軌跡から一定の距離を確保した曲線に沿って設けられた一対のロールバーと、を有し、
前記泡ヘッドは、前記ロールバーに沿って配設された第２泡ヘッドを含むことを特徴とする請求項７または８に記載のシェルター用水槽システム。
【請求項１０】
断面視で上方に開口する凹部が設けられた水槽部材を組立てることで、シェルターの出入口の外周を環状に取り囲んで、上方に開口する環状凹部を設ける工程を、
備えることを特徴とするシェルター用水槽システムの築造方法。
【請求項１１】
前記水槽部材は下方に突出する凸部が設けられ、
前記凸部の内側面は、前記水槽部材を設置したとき、前記シェルターの外側面に沿う
ことを特徴とする請求項１０に記載のシェルター用水槽システムの築造方法。
【請求項１２】
前記水槽部材は、仕切り網を載置するための突起体が前記凹部の中間部に設けられていることを特徴とする請求項１０または１１に記載のシェルター用水槽システムの築造方法。
【手続補正３】
【補正対象書類名】明細書
【補正対象項目名】０００１
【補正方法】変更
【補正の内容】
【０００１】
本発明は、地下シェルターの内部温度の上昇を抑制する水槽システム、および水槽システムの築造方法に関する。
【手続補正４】
【補正対象書類名】明細書
【補正対象項目名】００１０
【補正方法】変更
【補正の内容】
【００１０】
本発明は、上記課題を解決するための水槽システムであって、地下シェルターの上面に配設されて、上方に開口する凹部が設けられた水槽と、水槽に水を供給する給水装置を備えることを特徴とする。
【手続補正５】
【補正対象書類名】明細書
【補正対象項目名】００１１
【補正方法】変更
【補正の内容】
【００１１】
シェルターの内部に設けられる避難空間を、火炎熱の影響を受けにくい地下に配設したとしても、地面は火炎熱により熱せられ、それに伴い、地下シェルターの温度も上昇する。その結果、避難空間の温度も上昇し、高温となった避難空間での避難を余儀なくされる。しかし、この構成によれば、地下シェルターの天井板の上面に配設されて、上方に開口する凹部が設けられた水槽と、水槽に水を供給する給水装置を備えるので、火炎熱によって周辺の温度が上昇した場合でも、水槽内に貯留されている水が加熱されて蒸発し、そのときの潜熱効果によって避難空間の温度上昇を抑制できる。
【手続補正６】
【補正対象書類名】明細書
【補正対象項目名】００２８
【補正方法】変更
【補正の内容】
【００２８】
本発明の他の態様は、シェルター用水槽システムの築造方法であって、断面視で上方に開口する凹部が設けられた水槽部材を組立てることで、シェルターの出入口の外周を環状に取り囲んで、上方に開口する環状凹部を設ける工程を、備えることを特徴とする。